(57)【要約】【課題】本発明は、時分割二重化方式を用いる分散アンテナシステムのＴＤＤサブ−システムに関する。【解決手段】本発明によると、分割冗長方式を用いる分散アンテナシステムのヘッド−エンドユニットから基準信号検出モジュール、複製モジュールは、信号遅延自己検出モジュール、及び、基地局信号遅延検出モジュールを含むＴＤＤサブ−システムを備えることで、装置の動作過程で発生する可能性のあるエラーの検出が迅速に行われながらも、これと関連したサービスの対応がより効率的に行われるようにする。【選択図】図１
2020533912.tif 000002
【特許請求の範囲】
【請求項１】
基地局から受信される信号からＴｓｙｎｃ基準信号を検出する基準信号検出モジュールと、
前記信号と関連付けられたアップリンク／ダウンリンク構成情報に基づいて前記Ｔｓｙｎｃ基準信号に対する有効性検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する複製モジュールと、
前記Ｔｓｙｎｃ基準信号に対する遅延差情報を検出し、検出結果を基に、前記Ｔｓｙｎｃ基準信号の遅延如何についてのアラーム情報を提供する信号遅延自己検出モジュール、及び、
前記ＴＤＤ同期信号を基準にして他の基地局の信号に対する遅延差情報を検出し、検出結果を基に、前記他の基地局の信号の遅延如何に対するアラーム情報を提供する基地局信号遅延検出モジュールと、
を含むことを特徴とする分散アンテナシステムのＴＤＤサブ−システム。
【請求項２】
前記複製モジュールは、
前記Ｔｓｙｎｃ基準信号のロー状態及びハイ状態を既設定の解像度単位でカウントし、カウント結果が前記アップリンク／ダウンリンク構成情報に符合しない場合、前記有効性が検証できなかったものと判断することを特徴とする請求項１に記載の分散アンテナシステムのＴＤＤサブ−システム。
【請求項３】
前記複製モジュールは、
前記有効性検証結果をもとに、前記アップリンク／ダウンリンクの構成情報との符合如何についてのアラーム情報を提供することを特徴とする請求項２に記載の分散アンテナシステムのＴＤＤサブ−システム。
【請求項４】
前記複製モジュールは、
前記Ｔｓｙｎｃ基準信号に対する有効性を検証した場合、前記Ｔｓｙｎｃ基準信号のレプリカを格納することを特徴とする請求項１に記載の分散アンテナシステムのＴＤＤサブ−システム。
【請求項５】
前記既に保存されたＴｓｙｎｃ基準信号は、
前記複製モジュールに受信された以前のＴｓｙｎｃ基準信号のうちの有効性が検証されたＴｓｙｎｃ基準信号に対するレプリカであることを特徴とする請求項１に記載の分散アンテナシステムのＴＤＤサブ−システム。
【請求項６】
前記信号遅延自己検出モジュールは、
前記Ｔｓｙｎｃ基準信号で立ち上がりエッジ間の間隔を既設定の解像度単位でカウントし、カウント結果及びＴＤＤフレームの周期を比較した比較結果を基に検出される遅延差が既設定のしきい値範囲から外れる場合、前記アラーム情報を提供することを特徴とする請求項１に記載の分散アンテナシステムのＴＤＤサブ−システム。
【請求項７】
前記基地局信号遅延検出モジュールは、
前記ＴＤＤ同期信号の立ち上がりエッジポイントを基準に他の基地局の信号の立ち上がりエッジポイントを比較し、前記他の基地局の信号に対する遅延差情報を検出し、検出結果が既設定のしきい値範囲から外れる場合、前記アラーム情報を提供することを特徴とする請求項１に記載の分散アンテナシステムのＴＤＤサブ−システム。
【請求項８】
前記基地局信号遅延検出モジュールは、
前記ＴＤＤ同期信号の立ち上がりエッジポイントを基準に所定区間を検出範囲として選定し、前記検出範囲の間のキャプチャされる前記他の基地局の信号のＩＱデータから検出される電力を基に、前記他の基地局の信号に相応するＴＤＤ同期信号を検出し、前記ＴＤＤ同期信号及び前記他の基地局のＴＤＤ同期信号との間の遅延偏差が前記しきい値範囲から外れる場合、前記アラーム情報を提供することを特徴とする請求項７に記載の分散アンテナシステムのＴＤＤサブ−システム。
【請求項９】
分散アンテナシステムのＴＤＤサポート方法において、
基地局から受信される信号からＴｓｙｎｃ基準信号を検出する過程と、
前記信号と関連付けられたアップリンク／ダウンリンク構成情報に基づいて前記Ｔｓｙｎｃ基準信号に対する有効性検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する過程と、
前記Ｔｓｙｎｃ基準信号に対する遅延差情報を検出し、検出結果を基に、前記Ｔｓｙｎｃ基準信号の遅延如何についてのアラーム情報を提供する過程、及び、
前記ＴＤＤ同期信号を基準にして他の基地局の信号に対する遅延差情報を検出し、検出結果を基に、前記他の基地局の信号の遅延如何についてのアラーム情報を提供する過程と、
を含むことを特徴とするＴＤＤサポート方法。
【請求項１０】
前記有効性検証結果をもとに、前記アップリンク／ダウンリンク構成情報との符合如何についてのアラーム情報を提供する過程をさらに含むことを特徴とする請求項９に記載のＴＤＤサポート方法。
【請求項１１】
前記他の基地局の信号の遅延如何についてのアラーム情報を提供する過程は、
前記ＴＤＤ同期信号の立ち上がりエッジポイントを基準に他の基地局の信号の立ち上がりエッジポイントを比較し、前記他の基地局の信号に対する遅延差情報を検出し、検出結果が既設定のしきい値範囲から外れる場合、前記アラーム情報を提供することを特徴とする請求項９に記載のＴＤＤサポート方法。
【請求項１２】
基地局から受信される信号からＴｓｙｎｃ基準信号を検出する基準信号検出モジュールと、
前記信号と関連付けられたアップリンク／ダウンリンク構成情報に基づいて前記Ｔｓｙｎｃ基準信号に対する有効性検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する複製モジュールと、
前記Ｔｓｙｎｃ基準信号に対する遅延差情報を検出し、検出結果を基に、前記Ｔｓｙｎｃ基準信号の遅延如何についてのアラーム情報を提供する信号遅延自己検出モジュール、及び、
前記ＴＤＤ同期信号を基準にして他の基地局の信号に対する遅延差情報を検出し、検出結果を基に、前記他の基地局の信号の遅延如何についてのアラーム情報を提供する基地局信号遅延検出モジュールと、
を含むことを特徴とする分散アンテナシステム。
【発明の詳細な説明】
【技術分野】
【０００１】
本発明は、時分割二重化方式を用いる分散アンテナシステムのＴＤＤサブ−システムに関する。
【背景技術】
【０００２】
この部分に記述された内容は、単に本実施例の背景情報を提供するに留まり、従来の技術を構成するものではない。
【０００３】
通信事業者は、無線通信システムを使用して、ワイヤレスデバイスが位置するカバレッジ領域にサービスを提供する。分散アンテナシステム（Ｄｉｓｔｒｉｂｕｔｅｄ  Ａｎｔｅｎｎａ  Ｓｙｓｔｅｍｓと、ＤＡＳ）は、そのような無線通信システムのカバレッジを拡張するために用いることができる。
【０００４】
ＤＡＳは、信号経路の少なくとも一部の共通の周波数または共通部分を使用し、ダウンリンク及びアップリンク信号が、それぞれ送信および受信される時分割二重化（Ｔｉｍｅ  Ｄｉｖｉｓｉｏｎ  Ｄｕｐｌｅｘｉｎｇと、ＴＤＤ）動作をサポートするように構成する。  ＴＤＤ動作のために構成したＤＡＳはアップリンク信号経路からダウンリンク信号経路を分離するための１つ以上のスイッチを含む。
【０００５】
また、１つ以上の通信事業者が、それぞれの無線通信システムのカバレッジ領域を拡張するために、同じＤＡＳを用いることができる。ＤＡＳを構成したり、運営する主体は、ＤＡＳを用いる通信事業者から独立している場合がある。通信事業者と独立的な主体は、通信事業者によって使用されるＴＤＤ構成によってＤＡＳのスイッチング動作が適切に実行するように構成しなければならない。
【発明の概要】
【発明が解決しようとする課題】
【０００６】
本発明は、時分割二重化方式を用いる分散アンテナシステムでＴＤＤサブ−システムを備えることにより、その動作の過程で発生し得るエラーの検出が迅速に行われるようにしながらも、これと関連しサービスの対応がより効率的に行われるようにするところにその目的がある。
【課題を解決するための手段】
【０００７】
本実施例は、基地局から受信される信号からＴｓｙｎｃ基準信号を検出する検出モジュールと、前記信号と関連付けられたアップリンク／ダウンリンク構成情報に基づいて前記Ｔｓｙｎｃ基準信号に対する有効性検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する複製モジュールと、前記Ｔｓｙｎｃ基準信号に対する遅延差情報を検出し、検出結果を基に、前記Ｔｓｙｎｃ基準信号の遅延かどうかについてのアラーム情報を提供する信号遅延自己検出モジュール、及び、前記ＴＤＤ同期信号を基準にして他の基地局の信号に対する遅延差情報を検出し、検出結果を基に、前記他の基地局の信号の遅延かどうかについてのアラーム情報を提供する基地局信号遅延検出モジュールと、を含むことを特徴とする分散アンテナシステムのＴＤＤサブ−システムを提供する。
【０００８】
また、本実施例の他側面によると、分散アンテナシステムのＴＤＤサポート方法であって、基地局から受信される信号からＴｓｙｎｃ基準信号を検出する過程と、前記信号と関連付けられたアップリンク／ダウンリンク構成情報に基づいて前記Ｔｓｙｎｃ基準信号に対する有効性検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する過程と、前記Ｔｓｙｎｃ基準信号に対する遅延差情報を検出し、検出結果を基に、前記Ｔｓｙｎｃ基準信号の遅延かどうかについてのアラーム情報を提供する過程、及び、前記ＴＤＤ同期信号を基準にして他の基地局の信号に対する遅延差情報を検出し、検出結果を基に、前記他の基地局の信号の遅延かどうかについてのアラーム情報を提供する過程と、を含むことを特徴とするＴＤＤサポート方法を提供する。
【０００９】
また、本実施例の他側面によると、基地局から受信される信号からＴｓｙｎｃ基準信号を検出する基準信号検出モジュールと、前記信号と関連付けられたアップリンク／ダウンリンク構成情報に基づいて前記Ｔｓｙｎｃ基準信号に対する検証を行い、前記有効性を検証した場合には、前記Ｔｓｙｎｃ基準信号を、前記有効性を検証できなかった場合には、既に保存されたＴｓｙｎｃ基準信号をＴＤＤスイッチング制御のためのＴＤＤ同期信号として出力する複製モジュールと、前記Ｔｓｙｎｃ基準信号に対する遅延差情報を検出し、検出結果を基に、前記Ｔｓｙｎｃ基準信号の遅延かどうかについてのアラーム情報を提供する信号遅延自己検出モジュール、及び、前記ＴＤＤ同期信号を基準にして他の基地局の信号に対する遅延差情報を検出し、検出結果を基に、前記他の基地局の信号の遅延かどうかについてのアラーム情報を提供する基地局信号遅延検出モジュールを含むことを特徴とする分散アンテナシステムを提供する。
【発明の効果】
【００１０】
本発明は、時分割二重化方式を用いる分散アンテナシステムでＴＤＤサブ−システムを備えることにより、その動作の過程で発生し得るエラーの検出が迅速に行われながらも、これと関連したサービス対応がより効率的に行うことができる効果がある。
【図面の簡単な説明】
【００１１】
【図１】時分割二重化方式を用いる分散アンテナシステムの一例を概略的に示す図である。
【図２】本発明の一実施例に係る、ヘッド−エンドユニットに含むことができるＴＤＤサブ−システムの構成を概略的に示すブロック図である。
【図３】信号遅延自己検出モジュールの動作を説明するための図である。
【図４】本発明の一実施例に係る、複製モジュールの概略的な構成を示すブロック図である。
【図５】本発明の一実施例に係る、基地局信号遅延検出モジュールの概略的な構成を示すブロック図である。
【図６】基地局信号遅延検出モジュールの動作を説明するための図である。
【図７】複製モジュールと２つの遅延検出モジュールのタイミングチャートを示す図である。
【図８】ＴＤＤサブ−システムを具現した分散アンテナシステムによって実行される時分割二重化方式のサポート動作を説明するためのフローチャートである。
【発明を実施するための形態】
【００１２】
以下、本発明の一部の実施例を例示的な図面を通じて詳しく説明する。各図面の構成要素に参照符号を加えるにおいて、同一の構成要素に対しては、たとえ他の図面上に表示されても、可能な限り同一の符号を有するようにしていることに留意しなければならない。また、本発明を説明するにあたり、関連した公知の構成または機能についての具体的な説明が本発明の要旨を曖昧にすると判断した場合には、その詳細な説明は省く。
【００１３】
また、本発明の構成要素を説明するにあたって、第１、第２、Ａ、Ｂ、（ａ）、（ｂ）などの用語を用いることがある。このような用語は、その構成要素を他の構成要素と区別するためだけであり、その用語によって、該当構成要素の本質や順番や順序などが限定されない。明細書全体において、ある部分がある構成要素を「含む」、「備える」とするとき、これは特に正反対の記載がない限り、他の構成要素を除外するのではなく、他の構成要素をさらに含み得ることを意味する。また、明細書に記載した「．．．部」、「モジュール」などの用語は、少なくとも一つの機能や動作を処理する単位を意味し、これはハードウェアやソフトウェア、またはハードウェア及びソフトウェアの組み合わせで具現できる。
【００１４】
図１は、時分割二重化方式を用いる分散アンテナシステムの一例を概略的に示す図である。
【００１５】
ＤＡＳはリモートユニット１２０及び基地局１００と通信するヘッド−エンドユニット１１０を含む。いくつかの態様において、異なる基地局は、異なる無線通信事業者と関連する信号を通信することができる。  ＤＡＳは、基地局１００の無線通信カバレッジを拡張するために、地理的領域（例えば、競技場、オフィスビルなど）に配置することができる。
【００１６】
ＤＡＳは、ダウンリンク信号を基地局１００から１つ以上のリモートユニット１２０に伝送するためのダウンリンクパスを含む。  ＤＡＳは、有線または無線通信媒体を介して基地局１００からのダウンリンク信号を受信することができる。ダウンリンク信号は、リモートユニット１２０によってカバレッジ領域に伝播される。また、ＤＡＳは１つ以上のリモートユニット１２０から１つ以上の基地局１００または中継器にアップリンク信号を伝送するためのアップリンクパスを含む。アップリンク信号は、カバレッジ領域内の通信デバイスからリモートユニット１２０のうちの１つ以上によって受信されるアップリンク周波数帯域の周波数の信号である。
【００１７】
ヘッド−エンドユニット１１０は、基地局１００とリモートユニット１２０との間で信号を通信することができる。ヘッド−エンドユニット１１０及びリモートユニット１２０は、任意の適切な通信リンク（例えば、光ファイバ、同軸ケーブルなど）を介して通信することができる。ヘッド−エンドユニット１１０及びリモートユニット１２０は、通信リンクを介してデジタル通信のためにアナログ−デジタル変換器及びデジタル−アナログ変換器を含む。
【００１８】
説明の目的で、図１は、３つの基地局１００及び２つのリモートユニット１２０と通信する単一のヘッド−エンドユニット１１０を示す。しかし、分散アンテナシステムは、任意の数のヘッド−エンドユニット及び、任意の数の基地局（または他の信号源）と、任意の数のリモートユニットを含む。
【００１９】
ＤＡＳは、ＤＡＳを介して信号を通信する多数の通信事業者に対し、ＴＤＤ（Ｔｉｍｅ  Ｄｉｖｉｓｉｏｎ  Ｄｕｐｌｅｘｉｎｇ）動作をサポートするように構成する。たとえば、ＤＡＳはＴＤＤ信号をアップリンク方向に通信するためのアップリンクモードとＴＤＤ信号をダウンリンク方向に通信するためのダウンリンクモードを切り替えることができる。つまり、ＴＤＤ動作のために構成されたＤＡＳはアップリンク信号経路からダウンリンク信号経路を分離するための１つ以上のスイッチを含む。ＴＤＤをサポートするＤＡＳはダウンリンク及びアップリンク信号に対するスイッチング制御が必要である。基地局１００からＴＤＤスイッチング信号を提供されないＤＡＳは、ダウンリンク及びアップリンク信号に対するスイッチング制御のために、基地局１００から受信されるダウンリンク信号からＴＤＤ同期信号（以下、「ＴＤＤ  ｓｙｎｃ  ｓｉｇｎａｌ」）を生成しなければならない。このため、ヘッド−エンドユニット１１０は、ダウンリンク信号からＴＤＤ同期信号を生成するＴＤＤサブ−システム１１２を含み、生成されたＴＤＤ同期信号を、通信リンクを介して、リモートユニットに伝送する。
【００２０】
本発明によると、ヘッド−エンドユニット１１０は、サポートされる１つ以上の基地局１００の中から選択された一つのダウンリンク信号からＴＤＤスイッチング制御のためのＴＤＤ同期信号を検出（推定）し、検出されたＴＤＤ同期信号のレプリカ（Ｒｅｐｌｉｃａ）を保存しておく。
【００２１】
以降、ヘッド−エンドユニット１１０は、現在使用中のＴＤＤ同期信号が切れたり、問題発生時に他の基地局の信号に切り替わるように動作し、切り替わって通常のＴＤＤ同期信号が抽出されるまでシステムの動作を維持するために、ＴＤＤ同期信号のレプリカを用いる。
【００２２】
これに加えて、本発明によると、ヘッド−エンドユニット１１０は、現在ＴＤＤ同期信号を生成するために用いる基地局のダウンリンク信号のリアルタイム遅延偏差と他の基地局のダウンリンク信号間のリアルタイム遅延偏差を算出し、許容される限界の範囲から外れた場合に、外部のネットワーク管理システム（ｎｅｔｗｏｒｋ  ｍａｉｎｔｅｎａｎｃｅ  ｓｙｓｔｅｍ、ＮＭＳ）にアラームを伝送する。
【００２３】
図２は、本発明の一実施例に係る、ヘッド−エンドユニットに含まれるＴＤＤサブ−システムの構成を概略的に示すブロック図である。
【００２４】
図２に示すように、ＴＤＤサブ−システム１１２は、基準信号検出モジュール（ＴＤＤ  Ｓｙｎｃ  ｄｅｔｅｃｔ  Ｍｏｄｕｌｅ、２００）、複製モジュール（ＴＤＤ  Ｓｙｎｃ  Ｒｅｐｌｉｃａ  Ｍｏｄｕｌｅ、２１０）、信号遅延自己検出モジュール（ＴＤＤ  Ｓｙｎｃ  Ｓｅｌｆ  Ｄｅｌａｙ  Ｄｅｔｅｃｔｉｏｎ  Ｍｏｄｕｌｅ、２２０）及び基地局信号遅延検出モジュール（ＴＤＤ  Ｓｙｎｃ  Ｏｐｅｒａｔｏｒ  Ｄｅｌａｙ  Ｄｅｔｅｃｔｉｏｎ  Ｍｏｄｕｌｅ、２３０）を含む。このような、ＴＤＤサブ−システム１１２の各構成要素は、それぞれソフトウェアまたはハードウェア的な要素で具現する。例えば、ＴＤＤサブ−システム１１２の各構成要素は、ＦＰＧＡで構成する。
【００２５】
基準信号検出モジュール２００は、複数の基地局のうちの１つから受信されるＲＦあるいはＩＦ帯域のダウンリンク信号から推定されたＴＤＤ同期信号（ＴＤＤ  ｓｙｎｃ  ｓｉｇｎａｌ）を生成する。例えば、基準信号検出モジュール２００は、ダウンリンク信号の短期（Ｓｈｏｒｔ  ｔｅｒｍ）平均電力を計算し、計算された短期平均電力をＴＤＤしきい値と比較することにより、ＴＤＤ同期信号を推定することができる。以下では、基準信号検出モジュール２００が推定したＴＤＤ同期信号を「Ｔｓｙｎｃ基準信号（Ｔｓｙｎｃ  Ｒｅｆ  Ｓｉｇｎａｌ）」と称する。
【００２６】
複製モジュール２１０は、基準信号検出モジュール２００が生成したＴｓｙｎｃ基準信号のＤＬ／ＵＬ構成（ＤＬ−ＵＬ  ｃｏｎｆｉｇｕｒａｔｉｏｎ）の有効性を検証し、有効であると判断したＴｓｙｎｃ基準信号をＴＤＤ同期信号として出力し、Ｔｓｙｎｃ基準信号のレプリカを保存する。Ｔｓｙｎｃ基準信号のレプリカ（Ｒｅｐｌｉｃａ）は、現在使用中のＴＤＤ同期信号が切れたり、問題発生時に他の通信事業者に切り替え、正常なＴＤＤ同期信号が抽出されるまで、システムを維持するために用いられる。一方、本実施例において、有効性検査基準となるＤＬ／ＵＬ構成は、基準信号検出モジュール２００を介して検出され、複製モジュール２１０上に伝達され、他の実施例では、管理者によって直接複製モジュール２１０上に入力することができる。一方、基準信号検出モジュール２００は、ＤＬ／ＵＬ構成を検出する過程で、従来のＤＬ／ＵＬ構成検出アルゴリズムを活用することができる。例えば、本実施例において、ＴＤＤサブ−システム１１２は、ハードウェアまたはソフトウェアの形態、例えば、ＦＰＧＡで構成する。この場合、基準信号検出モジュール２００は、ＦＰＧＡを生成する会社（例えば、ＩＮＮＯＳ）でサポートするＤＬ／ＵＬ構成検出アルゴリズムを介して前記のＤＬ／ＵＬ構成を検出することができる。
【００２７】
複製モジュール２１０は、Ｔｓｙｎｃ基準信号のパルス幅がＤＬ／ＵＬ構成の有効範囲から外れると、ＴＤＤ同期構成アラーム（ＴＤＤ  Ｓｙｎｃ  Ｃｏｎｆｉｇｕｒａｔｉｏｎ  Ａｌａｒｍ）を発生し、保存されたＴｓｙｎｃ基準信号のレプリカをＴＤＤ同期信号として出力する。この時、保存されたＴｓｙｎｃ基準信号のレプリカは、複製モジュール２１０に受信された以前のＴｓｙｎｃ基準信号のうちの有効性が検証されたＴｓｙｎｃ基準信号に対するレプリカである。複製モジュール２１０の具体的な構成及び動作は、図４を参照して後述する。
【００２８】
信号遅延自己検出モジュール２２０は、基準信号検出モジュール２００から受信されるＴｓｙｎｃ基準信号の遅延差を検出し、検出された遅延差が既に設定されたしきい値範囲から外れた場合にアラームを発生する。
【００２９】
図３に例示したように、信号遅延自己検出モジュール２２０は、Ｔｓｙｎｃ基準信号で立ち上がりエッジ（Ｒｉｓｉｎｇ  ｅｄｇｅ、つまり、ＵＬ→ＤＬに遷移（ｔｒａｎｓｉｔｉｏｎ）する地点）間の間隔を、例えば、１００ｎｓの解像度で、カウントする。信号遅延自己検出モジュール２２０は、検出されたカウント値をＴＤＤフレームの周期（ＤＬ／ＵＬ構成によって５ｍｓまたは１０ｍｓの場合がある）と比較し、遅延差（図３で「Ｓｅｌｆ  Ｄｅｌａｙ」と表示）を検出し、検出された差が既設定のしきい値範囲（例えば、−３μｓ〜＋３μｓ）から外れた場合に、外部のネットワーク管理システム（Ｎｅｔｗｏｒｋ  Ｍａｉｎｔｅｎａｎｃｅ  Ｓｙｓｔｅｍ、ＮＭＳ）にアラームを伝送する。
【００３０】
このために、信号遅延自己検出モジュール２２０は、カウンタ３００及び遅延検出部３１０を含む。また、信号遅延自己検出モジュール２２０は、例えば、２ｓｅｃの間の遅延差（Ｓｅｌｆ  Ｄｅｌａｙ）の変動値の最大値をヘッド−エンドユニット１１０に備えられたディスプレイに表示したり、ネットワーク管理システムに報告する。
【００３１】
基地局信号遅延検出モジュール２３０は、Ｔｓｙｎｃ基準信号対比の、他の通信事業者信号の遅延差を検出し、検出された差が既に設定したしきい値範囲から外れた場合にアラームを発生する。基地局信号遅延検出モジュール２３０の具体的な構成及び動作は、図５を参照して後述する。
【００３２】
ＴＤＤサブ−システム１１２のプロセッサは、複製モジュール２１０から提供されるＴＤＤ同期信号の遅延をＩＱデータと同一にした後、（リモートユニットに伝送するために、デジタルダウンリンク信号をフレーミングする）フレーマー（Ｆｒａｍｅｒ、図示せず）に提供する。そのために、ＴＤＤサブ−システム１１２は、遅延モジュール２４０を備える。
【００３３】
図４は、本発明の一実施例に係る、複製モジュール２１０の概略的な構成を示すブロック図である。図４に示すように、複製モジュール２１０は、キャプチャメモリ（Ｃａｐｔｕｒｅ  Ｍｅｍｏｒｙ、４００）、複製メモリ（Ｒｅｐｌｉｃａ  Ｍｅｍｏｒｙ、４１０）は、カウンタ（Ｔｓｙｎｃ  Ｃｏｕｎｔｅｒ、４２０）、アラーム検出部（Ａｌａｒｍ  Ｄｅｔｅｃｔｉｏｎ、４３０）及び、プロセッサ４４０を含む。
【００３４】
プロセッサ４４０は、（５ｍｓ又は１０ｍｓの）Ｔｓｙｎｃ基準信号を１００ｎｓの解像度でキャプチャしてキャプチャメモリ４００に格納する。プロセッサ４４０は、キャプチャされた信号が正常であれば、キャプチャメモリ４００からデータをコピーし、レプリカ（ＴＤＤ  Ｓｙｎｃ  Ｒｅｐｌｉｃａ  Ｓｉｇｎａｌ）を複製メモリ４１０に格納する。
【００３５】
カウンタ４２０は、Ｔｓｙｎｃ基準信号のハイ（Ｈｉｇｈ）状態、ロー（Ｌｏｗ）状態を１００ｎｓ解像度でカウントする。
【００３６】
アラーム検出部４３０は、カウンタ４２０からカウントしたハイ状態／ロー状態カウント値から立ち上がりエッジ間の間隔をチェックし、チェックされた間隔がＵＬ／ＤＬ構成に符合するか否かを判断する。
【００３７】
プロセッサ４４０は、Ｔｓｙｎｃ基準信号が正常範囲であれば（≦±３μｓ）、キャプチャメモリ４００からＴＤＤ同期オリジナル信号（ＴＤＤ  Ｓｙｎｃ  Ｏｒｉｇｉｎａｌ  Ｓｉｇｎａｌ）を出力する。一方、Ｔｓｙｎｃ基準信号が異常であれば、プロセッサ４４０は、複製メモリ４１０からＴＤＤ同期レプリカ信号（ＴＤＤ  Ｓｙｎｃ  Ｒｅｐｌｉｃａ  Ｓｉｇｎａｌ）を出力し、ＴＤＤ同期構成（ＴＤＤ  Ｓｙｎｃ  Ｃｏｎｆｉｇｕｒａｔｉｏｎ）アラームを発生する。
【００３８】
図５は、本発明の一実施例に係る、基地局信号遅延検出モジュール２３０の概略的な構成を示すブロック図である。
【００３９】
図５に示すように、基地局信号遅延検出モジュール２３０は、検出範囲選定器（Ｃａｐｔｕｒｅ  Ｅｎａｂｌｅ  Ｇｅｎｅｒａｔｏｒ、５００）、電力検出部（Ｐｏｗｅｒ  Ｄｅｔｅｃｔｏｒ、５１０）、コンパレータ（ＴＤＤ  Ｓｙｎｃ  Ｇｅｎｅｒａｔｏｒ、５２０）及びキャプチャメモリ（Ｃａｐｔｕｒｅ  Ｍｅｍｏｒｙ、５３０）を含む。
【００４０】
検出範囲選定器５００は、ＴＤＤ同期信号のＵＬ→ＤＬ遷移（Ｔｒａｎｓｉｔｉｏｎ）ポイント（つまり、立ち上がりエッジ）から±４μｓの間（＝検出範囲）にキャプチャイネーブル（Ｃａｐｔｕｒｅ  Ｅｎａｂｌｅ）信号を生成する。
【００４１】
電力検出部５１０は、キャプチャイネーブル区間の間に、キャプチャされた各通信事業者（例えば、他の基地局）のＩＱデータから電力（ｐｏｗｅｒ）を検出する。
【００４２】
コンパレータ５２０は、キャプチャイネーブル区間で検出された電力から通信事業者別ＴＤＤ同期信号を検出し、検出されたＴＤＤ同期信号をキャプチャメモリ５３０に格納する。例えば、コンパレータ５２０は、一定の大きさ以上の電力の範囲を１の値に指定し、一定の大きさ以下の電力の範囲を０の値に指定することにより、前記のＴＤＤ同期信号を検出することができる。
【００４３】
プロセッサは、キャプチャメモリ５３０からの通信事業者別ＴＤＤ同期信号を読み取って遅延偏差（＝対象通信事業者遅延−リファレンス通信事業者遅延）を計算する。プロセッサは、遅延偏差が既設定のしきい値範囲（例えば、−３μｓ〜＋３μｓ）から外れるとアラームを発生する。
【００４４】
図６は、基地局信号遅延検出モジュール２３０がＤＣＭ同期信号（ＤＣＭ  ｓｙｎｃ  ｓｉｇｎａｌ）を基準に、ＤＣＭ信号（ＤＣＭ  ｓｉｇｎａｌ）とＫＤＤＩ信号（ＫＤＤＩ  ｓｉｇｎａｌ）とＳＢＭ信号（ＳＢＭ  ｓｉｇｎａｌ）に対してそれぞれ、検出範囲（±ΔＴ）内でｘｘ．ｘｘ  ｎｓ区間別電力検出を通じ、各信号の立ち上がりエッジを検出する例示を示す。
【００４５】
図６を参照すると、基準対象となる基地局の信号のライジングポイントを基準に他の基地局の信号のライジングポイントを比較することで、他の基地局のダウンリンク信号との間のリアルタイム遅延偏差を算出する方法を確認することができる。
【００４６】
図７は、複製モジュール２１０と２つの信号遅延検出モジュール２２０、２３０のタイミングチャートを示す図である。
【００４７】
複製モジュール２１０は、Ｔｓｙｎｃ基準信号の１−フレーム（Ｆｒａｍｅ）を検査して異常がない場合、Ｔｓｙｎｃ基準信号の１−フレームを出力するから、ＴＤＤ同期信号（Ｏｒｉｇｉｎａｌ）は、Ｔｓｙｎｃ基準信号よりも１−フレームだけ遅延して出力される。
【００４８】
複製モジュール２１０は、ＴＤＤ同期信号（Ｏｒｉｇｉｎａｌ）が確定した後、ＴＤＤ同期信号（Ｒｅｐｌｉｃａ）として保存し、その後保存したＴＤＤ同期信号（Ｒｅｐｌｉｃａ）を出力することができるから、ＴＤＤ同期信号（Ｒｅｐｌｉｃａ）はＴｓｙｎｃ基準信号より少なくとも２−フレームだけ遅延して出力される。
【００４９】
これにより、信号遅延自己検出モジュール２２０は、Ｔｓｙｎｃ基準信号の各フレームごとに動作し、基地局信号遅延検出モジュール２３０は、ＴＤＤ同期信号によってキャプチャイネーブルが動作することから、図７に例示したように動作する。
【００５０】
表１は、ＴＤＤサブ−システムの例示的な各モジュール別の動作性能または規格を示すテーブルである。表１には、複製モジュール２１０（表１で「Ｒｅｐｌｉｃａ」と表す）、信号遅延自己検出モジュール２２０（表１で「Ｓｅｌｆ」と表す）、および基地局信号遅延検出モジュール２３０（表１で、「Ｏｐｅｒａｔｏｒ」と表す）のキャプチャ解像度（Ｃａｐｔｕｒｅ  Ｒｅｓｏｌｕｔｉｏｎ）、キャプチャ範囲（Ｃａｐｔｕｒｅ  Ｒａｎｇｅ）、精度（Ａｃｃｕｒａｃｙ）、生成するアラームの種類（Ａｌａｒｍ）、および遅延に対するアラーム発生条件（Ａｌａｒｍ  Ｒａｎｇｅ）が表示される。
【００５１】
【表１】
2020533912.tif 000003
【００５２】
図８は、ＴＤＤサブ−システムを具現した分散アンテナシステムによって実行される時分割二重化方式のサポート動作を説明するためのフローチャートである。
【００５３】
ＴＤＤサブ−システム１１２は、複数の基地局のうちの１つから受信されるＲＦあるいはＩＦ帯域のダウンリンク信号からＴｓｙｎｃ基準信号を検出する（Ｓ８０２）。
【００５４】
ＴＤＤサブ−システム１１２は、ステップＳ８０２で検出したＴｓｙｎｃ基準信号に対する有効性検証を行う（Ｓ８０４）。ステップＳ８０４でＴＤＤサブ−システム１１２は、Ｔｓｙｎｃ基準信号のロー状態とハイ状態を基に設定され、解像度の単位でカウントし、カウント結果がＤＬ／ＵＬ構成に適合するかどうかに応じて、Ｔｓｙｎｃ基準信号の検証を実行することができる。
【００５５】
ＴＤＤサブ−システム１１２は、ステップＳ８０４の検証結果でＴｓｙｎｃ基準信号に対する有効性を検証できなかった場合（Ｓ８０６）、ＴＤＤ同期構成アラーム（ＴＤＤ  Ｓｙｎｃ  Ｃｏｎｆｉｇｕｒａｔｉｏｎ  Ａｌａｒｍ）を発生し、既に保存されたＴｓｙｎｃ基準信号のレプリカをＴＤＤ同期信号として出力する（Ｓ８０８）。ステップＳ８０８で既保存されたＴｓｙｎｃ基準信号のレプリカは、以前Ｔｓｙｎｃ基準信号のうちの有効性が検証されたＴｓｙｎｃ基準信号に対するレプリカである。
【００５６】
ＴＤＤサブ−システム１１２は、ステップＳ８０４の検証結果でＴｓｙｎｃ基準信号に対する有効性を検証した場合（Ｓ８０６）、Ｔｓｙｎｃ基準信号をＴＤＤ同期信号として出力し、Ｔｓｙｎｃ基準信号のレプリカを保存する（Ｓ８１０）。
【００５７】
ＴＤＤサブ−システム１１２は、ステップＳ８０２で検出されるＴｓｙｎｃ基準信号の遅延差を検出し、検出された遅延差が既設定のしきい値範囲から外れる場合にアラームを発生する（Ｓ８１２）。
【００５８】
ＴＤＤサブ−システム１１２は、ステップＳ８０８またはステップＳ８１０で出力されるＴＤＤ同期信号対比の他の通信事業者信号の遅延差を検出し、検出された差が既設定のしきい値範囲から外れる場合にアラームを発生する（Ｓ８１４）。
【００５９】
ここで、ステップＳ８０２ないしＳ８１４は、先に説明したＴＤＤサブ−システム１１２の各構成要素の動作に対応することから、これ以上の詳しい説明は省く。
【００６０】
図８は、それぞれのプロセスを順次実行することで記載しているが、必ずしもこれに限定されるものではない。つまり、図８に記載されたプロセスを変更して実行したり、１つ以上のプロセスを並列的に実行することで適当可能であることから、図８は、時系列的な順序に限定されるものではない。
【００６１】
前述したように、図８に記載した時分割二重化方式のサポート方法は、プログラムで具現でき、コンピュータのソフトウェアを用いて読み取ることができる記録媒体（ＣＤ−ＲＯＭ、ＲＡＭ、ＲＯＭ、メモリカード、ハードディスク、光磁気ディスク、ストレージデバイスなど）に記録できる。
【００６２】
以上の説明は、本実施例の技術思想を例示的に説明したに過ぎず、本実施例が属する技術分野における通常の知識を有する者であれば、本実施例の本質的な特性から逸脱しない範囲で様々な修正及び変形が可能である。したがって、本実施例は、本実施例の技術思想を限定するためのものではなく説明するためのものであり、このような実施例により、本実施例の技術思想の範囲が限定されるものではない。本実施例の保護範囲は請求の範囲によって解釈されるべきであり、それと同等の範囲内にあるすべての技術思想は、本実施例の権利範囲に含まれるものと解釈されるべきである。
【符号の説明】
【００６３】
１００：基地局  １１０：ヘッド−エンドユニット
１１２：ＴＤＤサブ−システム  １２０：リモートユニット
２００：基準信号検出モジュール  ２１０：複製モジュール
２２０：信号遅延自己検出モジュール
２３０：基地局信号遅延検出モジュール
【００６４】
ＣＲＯＳＳ−ＲＥＦＥＲＥＮＣＥ  ＴＯ  ＲＥＬＡＴＥＤ  ＡＰＰＬＩＣＡＴＩＯＮ
本特許出願は、本明細書にその全体が参考として含まれる、２０１７年０９月２９日に韓国で出願した特許出願番号第１０−２０１７−０１２７９６４号および２０１８年０４月０６日に韓国で出願した特許出願番号第１０−２０１８−００４０２６４号に対する優先権を主張する。
【図１】
2020533912.tif 000004
【図２】
2020533912.tif 000005
【図３】
2020533912.tif 000006
【図４】
2020533912.tif 000007
【図５】
2020533912.tif 000008
【図６】
2020533912.tif 000009
【図７】
2020533912.tif 000010
【図８】
2020533912.tif 000011
【国際調査報告】
2020533912.tif 000012
2020533912.tif 000013
2020533912.tif 000014
2020533912.tif 000015